Podtech/llm-jp-corpus-v4-ja_patent huggingface dataset:
(57)【要約】      （修正有）【課題】ファブリックパネルを作成する際の布地を保持する作業を簡便化した装飾用パネルを提供する。【解決手段】３つ以上の側面部を有し、全ての側面部にマグネット２１を埋め込んだ箱状部材２と、マグネット３１を埋め込んだ折り曲げ部を有し、箱状部材２の底面部に接する状態で折り曲げた際に、折り曲げ部が箱状部材２の側面部のそれぞれと重なり、箱状部材２のマグネット２１とマグネット３１が対向するように構成された板状部材３とを備え、箱状部材２のマグネット２１と板状部材３のマグネット３１との間に布地を挟み保持する。【選択図】図６
0003229424.tif 000002
【実用新案登録請求の範囲】
【請求項１】
第１のマグネットを埋め込んだ３つ以上の側面部を有する箱状部材と、第２のマグネットを埋め込んだ折り曲げ部を有し、前記箱状部材の底面部に接する状態で折り曲げた際に、前記折り曲げ部が前記側面部のそれぞれと重なり、前記第１のマグネットと前記第２のマグネットが対向するように構成された板状部材とを備え、前記第１のマグネットと前記第２のマグネットとの間に布地を挟み保持することでファブリックパネルを簡単に作製することができる装飾用パネル。
【考案の詳細な説明】
【技術分野】
【０００１】  本考案は、マグネットによって任意の布地を挟み保持する装飾用パネルに関する。
【背景技術】
【０００２】  任意の布地を木製のパネルなどに覆い被せタッカーなどで固定したファブリックパネルと呼ばれる屋内に掲示して楽しむ装飾物がある。ファブリックパネルの作製においては、布地をパネルに固定する作業に手間がかかってしまう。特許文献１には、布地を保持するために環状枠に設けられた溝に紐状部材と布地を押し込み保持する構成が開示されている。このような構成により、布地を保持する事はできるものの、作業性の面で改善の余地があった。
【先行技術文献】
【特許文献】
【０００３】
【特許文献１】特開２０１８−１０３５８２
【考案の概要】
【考案が解決しようとする課題】
【０００４】  本考案は、このような事情の下で考え出されたものであって、ファブリックパネルの作成の手間を改善した装飾用パネルを提供することを課題としている。
【課題を解決するための手段】
【０００５】  この考案に係る装飾用パネルは、第１のマグネットを埋め込んだ３つ以上の側面部を有する箱状部材と、第２のマグネットを埋め込んだ折り曲げ部を有し、前記箱状部材の底面部に接する状態で折り曲げた際に、前記折り曲げ部が前記側面部のそれぞれと重なり、前記第１のマグネットと前記第２のマグネットが対向するように構成された板状部材とを備え、前記第１のマグネットと前記第２のマグネットとの間に布地を挟み保持することで、課題を解決している。
【考案の効果】
【０００６】  この考案に係る装飾用パネルでは、任意の布地の他に用意するものはなく道具を用いずに布地を保持することができる。
【図面の簡単な説明】
【０００７】
【図１】本考案に係る装飾用パネルの箱状部材の斜視図。
【図２】本考案に係る装飾用パネルの板状部材の斜視図。
【図３】板状部材に箱状部材を重ねた状態の斜視図。
【図４】装飾用パネルの使用方法を説明するための斜視図。
【図５】装飾用パネルの使用方法を説明するための斜視図。
【図６】装飾用パネルの使用方法を説明するための斜視図。
【図７】装飾用パネルの使用方法を説明するための平面図。
【図８】装飾用パネルの使用方法を説明するための平面図。
【考案を実施するための形態】
【０００８】  図１、図２に示すように、箱状部材２の全ての側面部２４と板状部材３の全ての折り曲げ部３４にはそれぞれマグネット２１、３１が埋め込まれている。また、布地４を挟んだ際、ずれ難くするため、箱状部材２と板状部材３には、部分的にそれぞれ防滑紙２２、３２が貼ってある。
【実施例】
【０００９】  以下、添付図面にしたがって一実施例を説明する。図３に示すように、この考案に係る装飾用パネル１は箱状部材２と板状部材３からなる。【００１０】  箱状部材２はボール紙製である。図面では直方体の箱形であるが、三角柱など多角柱の箱形となる場合がある。全ての側面部２４には穴が開けられており、そこにマグネット２１が埋め込まれ、箱の外側となる面に防滑紙２２が貼られている。なお使用するマグネットの数量と位置は、箱状部材２の大きさによって変化する。また全ての側面部２４と側面部２４の間にはスリット２３を設けてある。箱の形状を保つため、補強部材２６を備える。【００１１】  板状部材３はボール紙製である。箱状部材２の形、大きさに合わせて、板状部材３の形、大きさは異なる。箱状部材２の底面部２５が接する状態で折り目３３を折り曲げた時、折り曲げ部３４が箱状部材２の側面部２４のそれぞれと重なる形となる。全ての折り曲げ部３４には穴が開けられており、そこにマグネット３１が埋め込められ、箱状部材２のマグネット２１と板状部材３のマグネット３１が対向するように構成される。折り曲げ部３４の折り目３３を折り曲げた時、箱状部材２と接する事になる側の面には防滑紙３２が貼られている。なお使用するマグネットの数量と位置は、箱状部材３の大きさによって変化する。【００１２】  次に、装飾用パネル１の使用方法について説明する。まず図３に示すように、防滑紙３２が貼られた面を上向きにした板状部材３の上に箱状部材２を重ねる。【００１３】  次いで、図４に示すように、任意の布地４の中心に、重ねた板状部材３と箱状部材２を置く。【００１４】  次いで、図５に示すように、板状部材３からはみ出た布地４の端を一箇所、板状部材３を包むように折り返す。【００１５】  次いで、図６に示すように、布地４を巻き込んだ状態の板状部材３を折り目３３から折り曲げ、板状部材３のマグネット３１と箱状部材２のマグネット２１によって布地４が動かないように挟み保持する。【００１６】  全ての板状部材３からはみ出た布地４を板状部材３のマグネット３１と箱状部材２のマグネット２１によって挟み保持すると図７に示す通りになる。【００１７】  次いで、図８に示すように、隅からはみ出た布地４をスリット２３から装飾用パネル１の内側に収める。このようにしてファブリックパネルが出来上がる。【００１８】  なお、実施例では箱状部材２と板状部材３はボール紙製であるが、この考案に係る装飾用パネル１では、プラスチックや木など材質は問わない。
【符号の説明】
【００１９】１    装飾用パネル
２    箱状部材
２１  マグネット（第１のマグネット）
２２  防滑紙
２３  スリット
２４  側面部
２５  底面部
２６  補強部材
３    板状部材
３１  マグネット（第２のマグネット）
３２  防滑紙
３３  折り目
３４  折り曲げ部
４    布地
【図１】
0003229424.tif 000003
【図２】
0003229424.tif 000004
【図３】
0003229424.tif 000005
【図４】
0003229424.tif 000006
【図５】
0003229424.tif 000007
【図６】
0003229424.tif 000008
【図７】
0003229424.tif 000009
【図８】
0003229424.tif 000010
(57)【要約】      （修正有）【課題】簡単な構成でもって、畝に移植した苗への直射日光を遮ることができる育苗キャップを提供する。【解決手段】育苗キャップ２は、キャップ本体部３を備えており、傘状のキャップ本体部３の中央付近に、イボ竹１など柱部材の挿入される貫通穴３ａを形成する。この貫通穴３ａの周囲から上方に突出するようにキャップ本体部３に円筒状部４を設ける。そして、この円筒状部４の周壁を貫通するネジ孔４ａに外方から蝶ネジ５をねじこんで、締め付けることにより、蝶ネジ５の先端部がイボ竹１の外周面に強く押し付けられる。これにより、育苗キャップ２はイボ竹１に対して位置決めされて固定される。【選択図】図１
0003229418.tif 000002
【実用新案登録請求の範囲】
【請求項１】
農作物の苗が倒れないように支持するための柱部材に取り付けられて、前記苗の上方を覆う育苗キャップであって、
中央付近に前記柱部材の挿入される貫通穴が形成され、この貫通穴の周囲から外周側に向かって下向きに傾斜する傘状のキャップ本体部と、
前記キャップ本体部における前記貫通穴の周囲から上方に突出する筒状部と、
前記筒状部の周壁を貫通するネジ孔に、当該周壁の外方からねじこまれるネジ部材と、を備えており、
前記ネジ部材の先端部が、前記筒状部内において前記柱部材の外周面に押し付けられることによって、前記キャップ本体部が前記柱部材に対して位置決め固定されることを特徴とする育苗キャップ。
【考案の詳細な説明】
【技術分野】
【０００１】  本考案は、農作物の苗が倒れないように支持するための柱部材に取り付けられ、直射日光を遮るように前記苗の上方を覆う育苗キャップに関する。
【背景技術】
【０００２】  一般に野菜など農作物の苗を育苗ポットから畑の畝に移植したときには、苗が根付いて茎が成長するまでの間、雨風を受けて倒れないようにするために、この苗の近くの地面に添え木（柱部材）を突き刺して、紐などで結び付けて支持するようにしている（特許文献１の段落０００２等）。
【先行技術文献】
【特許文献】
【０００３】
【特許文献１】特開２０２０−５８３１３号公報
【考案の概要】
【考案が解決しようとする課題】
【０００４】  しかしながら、前記のように畝に移植した苗は、その畝の土になじむまでの間、かなりのストレスを受けることになる。さらなる追い打ちはお日様の陽射しで、直射日光を受け過ぎると、苗はしんなりしおれて、最悪は枯れてしまうことも考えられる。【０００５】  そこで本考案は、前記のように畝に移植した苗の日除けを、簡単な構成でもって実現することが目的である。
【課題を解決するための手段】
【０００６】  本考案は、農作物の苗が倒れないように支持するための添え木など（柱部材）に、苗の上方を覆うように育苗キャップを取り付けて、直射日光を遮るようにしたものであり、中央付近に前記柱部材の挿入される貫通穴が形成され、この貫通穴の周囲から外周側に向かって下向きに傾斜する傘状のキャップ本体部と、このキャップ本体部における前記貫通穴の周囲から上方に突出する筒状部と、この筒状部の周壁を貫通するネジ孔に、当該周壁の外方からねじこまれるネジ部材と、を備えている。そして、前記ネジ部材の先端部が、前記筒状部内において前記柱部材の外周面に押し付けられることによって、前記キャップ本体部が前記柱部材に対して位置決め固定される。
【考案の効果】
【０００７】  上述の様に、本考案の育苗キャップは、苗を支持するための添え木などに取り付けて、簡単な構成で苗の上方を覆い、直射日光を遮ることができるので、畝に移植した苗が受けるストレスを軽減し、過度の直射日光によってしおれてしまうこと、ひいては枯れてしまうことを防ぐために有用である。
【図面の簡単な説明】
【０００８】
【図１】本考案の育苗キャップをイボ竹に取り付けて、苗の上方を覆うようにした実施例を示す正面図である。
【考案を実施するための形態】
【０００９】  本考案は、農作物の苗が倒れないように支持するための添え木など（柱部材）に、苗の上方を覆うように育苗キャップを取り付けて、直射日光を遮るようにしたものである。具体的には、育苗キャップは、中央付近に添え木などの挿入される貫通穴が形成された傘状のキャップ本体部を有している。
【００１０】  そして、そのキャップ本体部における前記貫通穴の周囲から上方に突出する筒状部が設けられ、この筒状部の周壁を貫通するネジ孔には、周壁の外方から蝶ネジのようなネジ部材がねじこまれるようになっている。
【００１１】  そのようにねじ込まれたネジ部材の先端部が、筒状部内において柱部材の外周面に強く押し付けられることによって、前記のキャップ本体部が前記柱部材に対して位置決めされた状態で固定される。
【実施例】
【００１２】  以下、添付図面に従って一実施例を説明する。符号１は、農作物の苗Ｓが倒れないように支持するための添え木（柱部材）であって、図示の例では周知のイボ竹を使用している。また、符号２は、苗Ｓの上方を覆うようにイボ竹１に取り付けられ、苗Ｓへの直射日光を遮る育苗キャップを示している。【００１３】  この例の育苗キャップ２は、傘状のキャップ本体部３を備えていて、その中央付近には、イボ竹１が摺動自在に挿入される貫通穴３ａ（破線で示す）が形成されている。キャップ本体部３は、例えばポリプロピレンのような安価な樹脂材料によって形成され、前記貫通穴３ａの周囲から上方に突出するように円筒状部４が一体に形成されている。【００１４】  また、前記の円筒状部４の周壁を貫通するようにネジ孔４ａが形成され、ここに円筒状部４の外方から蝶ネジ（ネジ部材）５がねじこまれるようになっている。この蝶ネジ５を回して締め付ければ、その先端部が円筒状部４内においてイボ竹１の外周面に強く押し付けられる。【００１５】  これにより、イボ竹１に対してキャップ本体部３が位置決めされて固定される。一方、蝶ネジ５を緩めれば、円筒状部４をイボ竹１に沿って摺動させて、キャップ本体部３を容易に上下させることができ、苗Ｓの成長に合わせて育苗キャップ２の高さを調整することは容易である。【００１６】  このようにして苗Ｓの上方を覆うように取り付けた育苗キャップ２によって、直射日光を遮り、苗の受けるダメージを少なくして、根付けを助けることができる。また、育苗キャップ２によって梅雨時の強い雨が苗Ｓに当たらないようにすることもできるので、雨を嫌う種類の苗には特に効果的である。【００１７】  さらに、図には示さないが、キャップ本体部３が外周側に向かって上向きに傾斜するように、育苗キャップ２を上下反転させてイボ竹１に取り付けることもできる。こうすると、苗Ｓへの直射日光を遮り、梅雨時の強い雨が当たらないようにしながら、苗Ｓの根本には十分に水を供給することができる。
【符号の説明】
【００１８】Ｓ    苗
１    イボ竹（柱部材）
２    育苗キャップ
３    キャップ本体部
３ａ  貫通穴
４    円筒状部（筒状部）
４ａ  ネジ孔
５    蝶ネジ（ネジ部材）
【図１】
0003229418.tif 000003
(57)【要約】      （修正有）【課題】一人でブレーキランプ点灯確認が出来る自動車を提供する。【解決手段】ブレーキランプ３に、動作保持機能を有し、走行時は機能解除されるサイドブレーキスイッチ４を設け、一人の作業員でブレーキ灯点灯確認を可能にした。【選択図】図１
0003229417.tif 000002
【実用新案登録請求の範囲】
【請求項１】
ブレーキスイッチと並列にサイドブレーキスイッチを設けた自動車
【考案の詳細な説明】
【技術分野】
【０００１】自動車ブレーキランプはブレーキペタルスイッチが作動した時のみ点灯するので点灯点検を行うにはブレーキ操作する人と点灯確認をする人と作業員は２人を要し点検作業を一人で行うための色々な対策がなされてきた
【背景技術】
【０００２】ブレーキランプ点検を一人で行うための治具が特願平１１−９９８１１で考案されているが実用として種々の負担が必要となる。また本案は特開２０００−０４３６４５と異なり自動的に点検でき手動スイッチも不要でスイッチ作業も必要としない
【考案の概要】
【考案が解決しようとする課題】
【０００３】一人でブレーキランプの点灯点検が出来また用具を必要としないで点検時に点灯し車両走行に支障をきたさない実用的な点検装置
【課題を解決しょうとする手段】
【０００４】動作保持機能と走行時機能解除されるという特徴を有するサイドブレーキを採用したまたサイドブレーキは停車時保安用機能具である事もブレーキ灯点灯確認作業が安全に出来有用である
【考案の効果】
【０００５】一人の作業員で確認の為の操作も必要なくブレーキ灯点灯確認が出来、車両走行中のブレーキ灯の消し忘れも生じない
【図面の簡単な説明】
【０００６】
【図１】本実用新案の構成を表わす図
【符号の説明】
【０００７】（１）は電池（２）は足踏みブレーキスイッチで車両制動時ＯＮでブレーキランプが点灯（３）はブレーキランプ（４）はサイドブレーキスイッチで車両停車時に車両固定の操作でＯＮとなりブレーキランプが点灯し点灯確認が可能となる。車両走行時には解放操作されるのでブレーキランプの消し忘れが生じない。
【図１】
0003229417.tif 000003
(57)【要約】      （修正有）【課題】コンパクトで携帯性に優れ、飛沫防止やドアを開閉させるための取っ手等の握持対象に直接接触せずに利用できる非接触握持具としても利用できる扇子を提供する。【解決手段】同一形状の扇面片を複数枚重ね合わせて構成した扇子であって、扇面片１の先端左右に一対の係合部２、３を設け、また、該扇面片１の所定部位に鉤状の凹み４を設け、また、該扇面片１群の要穴５に留め具を貫通して扇状に開閉自在とし、さらには、該扇面片１は植物由来原料を用いた高機能透明プラスチック製であって、細菌が付着しにくい素材とし、飛沫防止やドアを開閉させるための取っ手等の握持対象に直接接触せずに利用できる非接触握持具として多目的で支持利用できる仕組みにした。【選択図】図１
0003229640.tif 000002
【実用新案登録請求の範囲】
【請求項１】
同一形状の扇面片を複数枚重ね合わせて構成した扇子であって、扇面片は先端左右に一対の係合部を設け、また、該扇面片の所定部位に鉤状の凹みを設け、また、該扇面片群の要穴に留め具を貫通して扇状に開閉自在とし、さらには、該扇面片は植物由来原料を用いた高機能透明プラスチック製であって、細菌が付着しにくい素材とし、飛沫防止やドアを開閉させるための取っ手等の握持対象に直接接触せずに利用できる非接触握持具として多目的で支持利用できる仕組みにしたことを特徴とする飛沫防止透明扇子。
【考案の詳細な説明】
【技術分野】
【０００１】  本考案は、飛沫防止等の補助具に関し、詳しくは感染症予防対策に係る器具に関する。
【背景技術】
【０００２】  新型コロナウイルスの感染拡大が社会問題となり、感染経路の一つとされる飛沫やドアの取っ手等への接触に関して、感染症予防対策グッズが市販されており容易に購入できる。【０００３】  飛沫防止に関すれば、マスクやフェイスシールドなどの着用が一般にも広がり、また、接客を伴う業等では飛沫防止用のアクリル板などを卓上設置しての対応も日常的な広がりを見せている。
【考案の概要】
【考案が解決しようとする課題】
【０００４】  しかしながら、従来品に於いては、表情がわかりにくいなどの不評や、用途が限られるなど、性能格差も大きいことから、それぞれに改良の余地を残していた。【０００５】  本考案は、上記従来有する問題点に鑑み、コンパクトで携帯性に優れ、飛沫防止やドアを開閉させるための取っ手等の握持対象に直接接触せずに利用できる非接触握持具としても利用できる扇子を提供しようとするものである。
【課題を解決するための手段】
【０００６】  同一形状の扇面片を複数枚重ね合わせて構成した扇子であって、扇面片１は先端左右に一対の係合部２・３を設け、また、該扇面片１の所定部位に鉤状の凹み４を設け、また、該扇面片１群の要穴５に留め具を貫通して扇状に開閉自在とし、さらには、該扇面片１は植物由来原料を用いた高機能透明プラスチック製であって、細菌が付着しにくい素材とし、飛沫防止やドアを開閉させるための取っ手等の握持対象に直接接触せずに利用できる非接触握持具として多目的で支持利用できる仕組みにした。
【考案の効果】
【０００７】  本考案によれば、扇子は略透明であって、口元の飛沫対策をしながらも表情が隠れにくく、違和感なく会話が可能な飛沫防止透明扇子が提供される。【０００８】  また、本考案によれば、扇子を閉じた状態にして、鉤状の凹み部分などをうまく使うことで、ドア開閉など直接接触することなく、容易に多目的な支持利用が可能な飛沫防止透明扇子が提供される。【０００９】  また、本考案によれば、コンパクトで携帯性に優れた形状であることから容易に持ち運び可能な飛沫防止透明扇子が提供される。【００１０】  また、本考案によれば、植物由来原料を用いた高機能プラスチック製であって、細菌が付着しにくい素材を使用していることから、衛生的な飛沫防止透明扇子が提供される。
【考案を実施するための最良の形態】
【００１１】  以下、本考案の実施の形態について、図面を参照して説明する。
図１・図２・図３に示すように、同一形状の扇面片を複数枚重ね合わせて構成した扇子であって、扇面片１は先端左右に一対の係合部２・３を設け、また、該扇面片１の所定部位に鉤状の凹み４を設け、また、該扇面片１群の要穴５に留め具を貫通して扇状に開閉自在とし、さらには、該扇面片１は植物由来原料を用いた高機能透明プラスチック製であって、細菌が付着しにくい素材とし、飛沫防止やドアを開閉させるための取っ手等の握持対象に直接接触せずに利用できる非接触握持具として多目的で支持利用できる仕組みにした。
【図面の簡単な説明】
【００１２】
【図１】  本考案に於ける飛沫防止透明扇子を構成する扇面片の平面図である。
【図２】  本考案に於ける飛沫防止透明扇子を開いた状態を表す試作品の写真である。
【図３】  本考案に於ける飛沫防止透明扇子を閉じた状態を表す試作品の写真である。
【符号の説明】
【００１３】１    扇面片
２    係合部
３    係合部
４    鉤状の凹み
５    要穴
【図１】
0003229640.tif 000003
【図２】
0003229640.tif 000004
【図３】
0003229640.tif 000005
(57)【要約】      （修正有）【課題】安全に素早く開閉する前後垂直回転開閉式バッティングゲージを提供する。【解決手段】前後垂直回転開閉式バッティングゲージは、先頭の門形２の両外側に十分に安全な位置に十分なる長さの開閉バー５を設ける。【選択図】図２
0003229637.tif 000002
【実用新案登録請求の範囲】
【請求項１】
前後垂直回転開閉式バッティングゲージにおいて先頭の門形の両外側に十分離れた安全な位置に十分な長さのバーを設けたこと
【考案の詳細な説明】
【技術分野】
【０００１】本考案は安全に素早く開閉を実現するため先頭の門形の両外側に開閉専用バーを設置するものである。
【背景技術】
【０００２】従来本方式のバッティングゲージは開閉のとき素早く安全に開閉する方法がなかった。
【考案の開示】
【考案が解決しようとする課題】
【０００３】従来本方式のバッティングゲージは開くとき数個のつっかい棒を設置し閉じる時はそれらを外しながら行うのが主流でありかなりの時間を要した。また門形を直接持って操作する場合には手を挟む等の危険があった。
【課題を解決する為の手段】
【０００４】先頭門形２の両外側の十分離れた安全な位置に十分な長さの開閉バー５をもうける。
【考案の効果】
【０００５】本考案により持ち手としての開閉バー５を設けたことにより安全に素早く開閉することが可能となった。
【０００６】練習時間が開閉時間に取られる割合が非常に少なくなった。
【０００７】素早く閉じることできる事により急な突風や竜巻が接近したとき被害を最小にするのに非常に有効となった。
【実施例１】
【０００８】
【図面の簡単な説明】
【０００９】
【図１】本考案の閉じた時の前後垂直回転開閉式バティングゲージの側面図である。
【図２】本考案の開いた時の前後垂直回転開閉式バティングゲージの側面図である。
【図３】本考案の開いた時の前後垂直回転開閉式バティングゲージの正面図である。
【符号の説明】
【００１０】１．    本体
２．    先頭門形
３．    次門形
４．    次次門形
５．    開閉バー
６．    先頭門形回転軸
７．    次門形回転軸
８．    次次門形回転軸
９      防球ネット
【図１】
0003229637.tif 000003
【図２】
0003229637.tif 000004
【図３】
0003229637.tif 000005
(57)【要約】      （修正有）【課題】普段使用の眼鏡や類似の既製品に取り付けられ、眼鏡をかける感覚で顔面に装着でき、ＴＰＯに合わせた飛沫感染防止が可能で、取付け取外しや持運びが簡単であり、経済的で、使い捨て可能で非常に衛生的であるシールドを提供する。【解決手段】シールド２は、眼鏡やカチューシャ等の既製品１と組み合わせてフェイスシールドをつくる。シールド２を顔面の大きさに裁断し、眼鏡の柄３の部分が入る大きさに穴４を開け、その柄３を穴４に差し込み眼鏡を反転させる。眼鏡にシールド２が固定されて眼鏡付きフェイスシールドとなる。一部穴４を補強する為に同素材（補強材）５で補強し、柄３を固定させる為に切り込み６をいれる。普段かけている既製品１の眼鏡等の利用がはかれる。【選択図】図２
0003229639.tif 000002
【実用新案登録請求の範囲】
【請求項１】
透明板ＵＶシールド（材質は適宜）（以下シールドという）を顔面の大きさに裁断し、既製品の眼鏡やカチューシャ等（以下眼鏡等という）の柄が入る大きさの穴を必要数明け、シールドの穴に眼鏡等の柄を差し込み、反転させると、シールドが眼鏡等に固定されて、飛沫感染防止用の眼鏡付きフェイスシールドとなる。この簡単なアイデアが特徴のフェイスシールド用のシールド。
【考案の詳細な説明】
【技術分野】
【０００１】  本考案は、普段使用している既製品の眼鏡やカチューシャ等（以下眼鏡等という）に、一枚の透明板ＵＶシールド（材質は適宜）（以下シールドという）を取り付けてフェイスシールド作成するため、これらは飛沫感染防止用のフェイスシールドに関する分野である。
【背景技術】
【０００２】  本考案の背景として、多くのメーカーが専用眼鏡型フレーム等にフェイスシールドを取り付けるタイプか、額にバンドで取り付けるタイプである。特に、メーカー専用眼鏡型フレーム型フェイスシールドは、セットするのには大変手間がかかる。メーカー専用眼鏡型フレームタイプは普段使用している眼鏡を外して、フェイスシールドを顔面に取り付けるので大変不便でもある。２つのタイプとも持ち運びが不便で、製品も高価であり、使い捨てでないため常時消毒しないと非衛生的でもある。他にマスクでとりつけるタイプもあるがマスクの大きさが制限されて不便である。
【先行技術文献】
【０００３】
【特許文献】
【特許文献】実用新案登録第３２２７２４２号  公報
【特許文献１】
【考案の概要】
【考案が解決しようとする課題】
【０００４】  本考案は普段使用している眼鏡等に、シールドを利用して眼鏡付きフェイスシールドを作成しようとするものである。そのまま眼鏡感覚でかけるだけで、ウィルスから顔面を保護することが出来、材質もシールドのみである為安価であり、前述の欠点の解決がはかれる。
【課題を解決するための手段】
【０００５】  普段使用している眼鏡等に、一枚のシールドを利用して眼鏡付きフェイスシールドをつくる。まずシールドを顔面の大きさに裁断し、眼鏡等の柄の部分が入る大きさのシールドの穴を必要数明けたのち、眼鏡等の柄をその穴に差し込み眼鏡等を反転させると、眼鏡等とフェイスシールドが固定されて眼鏡付きフェイスシールドとなる。一部シールドの穴を補強する為に同材質で補強し、眼鏡等の柄を固定させる為に切り込みをいれる。
【考案の効果】
【０００６】  普段使用している眼鏡等を利用して眼鏡付きフェイスシールドをつくり、そのまま眼鏡等をかける感覚で顔面に取り付けられる。その為、飛沫感染からＴＰＯに合わせて顔面を保護することが出来る。取付け取外し、持ち運びも簡単で、シールドのみの販売で一枚当たりの単価は非常に安価で経済的である。使い捨てが可能となり、衛生的で有り、その効果は計り知れない。世界的に困窮している国々にとっても朗報であると思われる。
【図面の簡単な説明】
【０００７】
【図１】シールド図面である。
【図２】既製品の眼鏡やカチューシャとＵＶシールド
【図３】眼鏡とシールド組立正面図１である。
【図４】眼鏡とシールド組立俯瞰図２である。
【図５】組立図３である。
【図６】組立図４である。
【図７】装着後の前面の写真  １である。
【図８】装着後の横顔の写真  ２である。
【図９】装着後の前面の写真  ３である。
【図１０】装着後の横顔の写真  ４である。
【考案を実施するための形態】
【０００８】  普段使用している眼鏡等を利用して眼鏡付きフェイスシールドをつくる事から、眼鏡等とシールドを固定するための方策として、シールド両端に眼鏡等の柄を固定するための切り込みを入れ眼鏡等とシールドを一体化させた。シールドで一部素材によっては折り畳んでポケットに入れる事が可能となる。眼鏡等の柄を通す穴は少し大きめにして、外さずに食事が出来るように、眼鏡等とシールドのジョイント部分の動きをよくした。そのために、穴を同じ材質で補強をした。
【実施例】
【０００９】  以下、添付図面に従って一実施例を説明する。眼鏡やカチューシャ等１（普段使用している眼鏡等又はそれらに代わるもの。以下眼鏡等という）に、シールド２（透明板ＵＶシールド・材質は適宜。以下シールドという）を利用して眼鏡付きフェイスシールドをつくる。まずシールド２を顔面の大きさに裁断し、眼鏡等の柄３の部分が入る大きさのシールドの穴４を必要数明けたのち、眼鏡等の柄３をシールドの穴４に差し込み眼鏡等を反転させると、眼鏡等１にシールド２が固定されて眼鏡付きフェイスシールドとなる。一部シールドの穴４を補強する為に同材質（補強材）５で補強し、眼鏡等の柄３を固定させる為に切り込み６をいれる。ただし固い材質の場合は切り込みは入れない。
【符号の説明】
【００１０】１  眼鏡やカチューシャ等
２  透明板ＵＶシールド・材質は適宜
３  眼鏡等の柄
４  シールドの穴
５  同材質（補強材）
６  切り込み
【図１】
0003229639.tif 000003
【図２】
0003229639.tif 000004
【図３】
0003229639.tif 000005
【図４】
0003229639.tif 000006
【図５】
0003229639.tif 000007
【図６】
0003229639.tif 000008
【図７】
0003229639.tif 000009
【図８】
0003229639.tif 000010
【図９】
0003229639.tif 000011
【図１０】
0003229639.tif 000012
(57)【要約】      （修正有）【課題】Ｒ壁面造作加工の省力化と時間短縮ならびに作業均一化を図るための自在Ｒ加工定規を提供する。【解決手段】自在Ｒ加工定規は定規本体（部品１）をプラスチック樹脂などの軽量堅牢な材料を用いつつＲ加工の核となる定規構成部分（部品３）を自在に折曲げが可能な樹脂や曲げ合板を短冊様の細い板（部品３ａ）として並べ一体化して定規部分が構成され、その部品３ａが着脱可能で、任意のＲ加工必要箇所に該当する部品３ａの隣接連続する４枚を抜き、その空いた溝部分に木工ルーターを走らせることでＲ壁面下地材を切り出せる。Ｒ壁面下地材を均一的に容易に切り出し出来て作業省力化と時間短縮に役立つ。【選択図】図１
0003229689.tif 000002
【実用新案登録請求の範囲】
【請求項１】
建築現場で出隅Ｒや入り隅ＲのＲ壁面を作ることがよく有るが、現場での状況に則してＲ壁面の下地材を加工制作するにあたって省力化と時間短縮ならびに加工する下地材の均一化を図るためのＲ加工に適した定規が出来ないかと思考するなか、定規本体はプラスチック樹脂などの軽量堅牢な材料を用いつつＲ加工の核となる定規部分を自在に折曲げが可能な樹脂や曲げ合板を短冊様の細い板として並べ、その短冊様の細い板の全部の着脱が可能とすることで、現場のＲ壁面が必要とする大きさのＲ壁面下地材を造作加工するに適した部分の細い板を抜き取って定規として使用することを特徴とする自在Ｒ加工定規である。
【考案の詳細な説明】
【技術分野】
【０００１】本考案は、建築現場で出隅Ｒや入り隅ＲのＲ壁面を作る際に現場の状況に則してＲ壁面の下地材を加工制作するためを目的とした自在Ｒ加工定規である。
【背景技術】
【０００２】従来、Ｒ下地材の加工は、丸鋸・糸鋸などを使い大まかな丸にカットしたうえで、ノミやカンナなどの道具で削り出し下地としての役割を果たせるように加工精度を上げていたが、このＲ壁面下地材の作成は手作業のため技能を要するとともに作業時間もかかっていた。
【考案の概要】
【考案が解決しようとする課題】
【０００３】Ｒ下地材を加工カットするのに市販の電動木工切削ルーターを使用しますが、この市販ルーター商品の刃のルーターガイドが概ね１６ｍｍありますので、このルーターガイドに沿わせつつ現場で必要とする任意の大きさのＲ下地材を切り出し制作することを容易にすることを本自在Ｒ加工定規の課題とする。
【課題を解決するための手段】
【０００４】課題を解決するために、図１に示す通りＲ加工制作自在定規の定規土台（部品１）は建築現場の状況にあわせて３００ｍｍ〜６００ｍｍ程度の大きさのものとなる予定で、作業に当たって使い勝手が悪い重いものとならないよう樹脂や合板など軽量な素材を用いることとする。【０００５】定規の命となるのは定規構成部分（部品３）であり、定規構成部分は巾４ｍｍの部品単体（部品３ａ）をｎ個集合（部品３ａ×ｎ個）させることで構成し、且つ、目的に合うように樹脂や曲げ合板などで作る。
【考案の効果】
【０００６】この考案に拠って、出隅Ｒや入り隅ＲのＲ壁面を作る際に結構掛かっていた時間と労力を費やすことなくＲ下地材を切り出し制作することが容易となり、しかも短時間に加工造作することが出来るようになる。【０００７】同時に、現場毎に任意の出隅Ｒや入り隅ＲのＲ壁面を制作するが、本考案の自在Ｒ加工定規を使用することで現場にとらわれずに均一的に任意のＲ下地材を切り出し制作することが出来るようになる。
【図面の簡単な説明】
【０００８】
【図１】自在Ｒ加工定規の平面図・断面図である。
【図２】自在Ｒ加工定規の部品１の平面図・断面図である。
【図３】自在Ｒ加工定規の部品２〜部品７の平面図・断面図である。
【考案を実施するための形態】
【０００９】自在定規の定規土台に定規の核となる定規構成部分（部品３）を設け、この核を構成する部品単体（部品３ａ）をｎ個集合（部品３ａ×ｎ個）させる。
【００１０】部品単体３ａの巾は４ｍｍで構成し、必要に応じて部品単体（部品３ａ）の隣接連続する４枚を取り外すと、その任意に取り外された部品単体（部品３ａ）の跡が空き、その空いた溝部分を１６ｍｍのルーターガイドと刃が走ることで下地材を切り出しカットできる。（実施例の参考写真）
0003229689.tif 000003
【００１１】この任意に取り外した部品３ａの溝部分を固定するために図１及び図３で示した部品２の樹脂２枚を任意の大きさを確保するために部品３構成部分から部品３ａを４枚抜いた箇所の両端に埋め填めることで、抜いた後の溝部分をルーターの走行溝として固定され安定する。
【００１２】そして、図１の部品３を構成している部品３ａを落下させないために部品３構成部分の端を固定するためにステンレス板（部品４、部品５、部品６）を用いて自在定規の定規土台である部品１とビスで固定する。
【図１】
0003229689.tif 000004
【図２】
0003229689.tif 000005
【図３】
0003229689.tif 000006
【手続補正書】
【提出日】令和2年9月2日(2020.9.2)
【手続補正１】
【補正対象書類名】実用新案登録請求の範囲
【補正対象項目名】全文
【補正方法】変更
【補正の内容】
【実用新案登録請求の範囲】
【請求項１】
建築現場でＲ壁面にあわせた下地材を加工制作するに際し下地材の均一化を成し同時に時間短縮と省力化を図れるＲ加工作業に適した定規が出来ないかと思考するなか、定規本体はプラスチック樹脂などの軽量堅牢な材料を用いつつＲ加工制作の核となる定規部分を自在に折曲げが可能な樹脂や曲げ合板を短冊様に細い板として並べ一体化して定規部分が構成されその短冊様の細い板の全部が着脱可能で、現場のＲ壁面が必要とする大きさのＲ壁面下地材を造作加工するに適した範囲の短冊様構成部分を抜き取って出来た溝に木工ルーターを走らせることでＲ壁面下地材を切り出せることを特徴とする自在Ｒ加工定規。
【手続補正２】
【補正対象書類名】明細書
【補正対象項目名】０００１
【補正方法】変更
【補正の内容】
【０００１】本考案は、建築現場で出隅Ｒや入り隅ＲのＲ壁面を作る際に現場の状況に則してＲ壁面の下地材を加工制作することを目的とした自在Ｒ加工定規である。
【手続補正３】
【補正対象書類名】明細書
【補正対象項目名】０００３
【補正方法】変更
【補正の内容】
【０００３】Ｒ下地材を加工カットするのに市販の電動木工切削ルーターを使用するが、この市販ルーター商品の刃のルーターガイドが概ね１６ｍｍありますので、このルーターガイドに沿わせつつ現場で必要とする任意の大きさのＲ下地材を切り出し制作することを容易にすることを本自在Ｒ加工定規の課題とする。
【手続補正４】
【補正対象書類名】明細書
【補正対象項目名】０００６
【補正方法】変更
【補正の内容】
【０００６】この考案に拠って、出隅Ｒや入り隅ＲのＲ壁面を作る際に時間も労力も結構掛かっていたがこの自在定規を用いることでＲ下地材を切り出し制作することが容易となり、しかも短時間に加工造作することが出来るようになる。
(57)【要約】      （修正有）【課題】官製葉書等に文字を手書きする際、文字列が斜めに傾く、または蛇行するのを防止する手書き用葉書ガイドを提供する。【解決手段】手書き用葉書ガイド１００は葉書５０を載置する矩形の主板１０の上下端近傍に葉書の上辺と下辺とを位置規制する規制板２０が重ねて配置接着され、さらに上下の規制板に重ねて長尺状ガイド板３０が搭載されている。【選択図】図１
0003229643.tif 000002
【実用新案登録請求の範囲】
【請求項１】
葉書を載置する主板と、前記葉書の少なくとも一辺を位置規制する規制板と、前記規制板に重ねて配置した長尺状ガイド板とを備えてなり、前記長尺状ガイド板により縦書きの記載文字列及び横書きの記載文字列が斜めに傾く、または蛇行するのを防止することを特徴とする手書き用葉書ガイド。
【請求項２】
規制板の板厚を葉書の板厚より大きく構成し、主板上に載置した前記葉書を任意にスライド可能にしたことを特徴とする請求項１記載の手書き用葉書ガイド。
【請求項３】
主板、規制板、長尺状ガイド板のそれぞれをボール紙または厚手の紙のいずれか一つで構成したことを特徴とする請求項１〜２のいずれか１項に記載の手書き用葉書ガイド。
【考案の詳細な説明】
【技術分野】
【０００１】  本考案は官製葉書や手作り葉書に文字を手書きする際、文字列が斜めに傾く、または蛇行するのを防止する器具に関する。詳しくは、宛名や宛先、差出人の住所・氏名、文章等を書く位置や範囲を概略示す手書き用葉書ガイドに関する。
【背景技術】
【０００２】  葉書などに文字を整然と書く筆記用定規として、罫列を糸で構成した定規が公開実用新案昭和６１−１４５６９３号公報に提案されている。
【先行技術文献】
【特許文献】
【０００３】
【特許文献１】公開実用新案昭和６１−１４５６９３号公報
【考案の概要】
【考案が解決しようとする課題】
【０００４】  しかしながら、特許文献１に記載の筆記用定規は文字列を規制する部材として糸が複数行使用されており、製作に手間を要し価格が大となる恐れがある。また、糸は左右にずれたり切れる恐れがある。本考案は、構成がシンプルで使いやすく、コストを低く抑えられる手書き用葉書ガイドを提供することを目的とする。
【課題を解決するための手段】
【０００５】  本考案にかかる手書き用葉書ガイドは、葉書を載置する矩形の主板と、前記葉書の少なくとも一辺を位置規制する規制板と、前記規制板に重ねて搭載した長尺状ガイド板（細長い長方形）とを備えてなる。前記長尺状ガイド板により縦書きの記載文字列及び横書きの記載文字列が斜めに傾く、または蛇行するのを防止することを特徴とする。これにより従来の葉書ガイド板が備えていた宛先、宛名、差出人住所、差出人氏名等の記載位置や範囲を規制する矩形状抜き穴または切欠き等を不要にする。【０００６】  さらに本考案の手書き用葉書ガイドは、前記規制板の板厚を前記葉書の板厚より大きく構成し、前記主板上に載置した前記葉書を任意に、例えば左右にスライド可能にしたことを特徴とした上記記載の手書き用葉書ガイドとしたもので、葉書を適宜ずらせて、文字の記載位置や記載範囲を選択できる。なお、官製葉書の厚さ寸法は約０．１５ｍｍなので、前記規制板の厚さ寸法を０．２５ｍｍ〜０．５０ｍｍ程度とするのが望ましい。【０００７】  さらに本考案にかかる手書き用葉書ガイドは、前記主板、前記規制板、前記長尺状ガイド板のそれぞれを紙部材（ボール紙または厚手の紙）またはプラスチックシート、薄い木板材のいずれか一つで構成したことを特徴とする上記記載の手書き用葉書ガイドとしたもので、紙部材は製造コストを安価にし、軽量化できる。紙部材を廃棄しても環境を汚染しない。
【考案の効果】
【０００８】  本考案の手書き用葉書ガイドは、官製葉書等に文字を手書きする際、文字列が斜めに傾く、または蛇行するのを防止できる。また、軽量で構成がシンプルで使いやすく、コストを低く抑えられる。紙部材は廃棄しても環境を汚染しない。
【図面の簡単な説明】
【０００９】
【図１】  本考案の一実施例における手書き用葉書ガイドの正面図
【図２】  図１の側面図
【図３】  図１を構成する部品の斜視図
【図４】  図１を構成する部品の斜視図
【図５】  図１を構成する部品の斜視図
【考案を実施するための形態】
【００１０】  以下、図１〜図５を用いて本考案の一実施例における手書き用葉書ガイド１００を説明する。手書き用葉書ガイド１００は葉書５０を載置する矩形の主板１０の上下端近傍に前記葉書５０の上辺と下辺とを位置規制する規制板２０、２０を重ねて配置し、一体的に接着してなる。接着方法は一般的な接着剤または両面粘着テープ等を用いて適宜実施すればよい。さらに、前記上下の規制板２０、２０に重ねて長尺状ガイド板３０（細長い長方形）を搭載し、接着してなる。長尺状ガイド板３０は図１に示すごとく葉書の上辺を規制する規制版２０と下辺を規制する規制板２０とにまたがって配置されている。
【００１１】  さらに上記構成において、規制板２０，２０の板厚を葉書５０の板厚より大きく構成し、空隙４０を構成してなる。これにより主板１０上に載置した前記葉書５０を任意に、例えば左右にスライド可能にしてなる。前記長尺状ガイド板３０により縦書きの記載文字列及び横書きの記載文字列が斜めに傾く、または蛇行するのを防止する。図１では縦書きの官製葉書の表面に、長尺状ガイド板３０の右側に宛先住所と宛先氏名を書き、長尺状ガイド板３０の左側に差出人住所と差出人氏名を書く様にしている。住所を書く場合と、氏名を書く場合とで葉書の位置を矢印Ｘ１方向に適宜ずらせて（スライドさせて）記載すればよい。
【００１２】  さらに上記構成において、主板１０、規制板２０、２０、長尺状ガイド板３０のそれぞれをボール紙または厚手の紙のいずれか一つで構成した。主板１０の板厚を０．３ｍｍ〜０．５ｍｍ、規制板２０、２０の板厚を０．２５ｍｍ〜０．４ｍｍ、長尺状ガイド板３０の板厚を０．３ｍｍ〜０．５ｍｍ程度とした。前記主板１０、規制板２０、長尺状ガイド板３０を同一厚さの紙部材で構成することによりコストを低減できる。前記紙部材は軽量で安価、廃棄しても環境を汚染する恐れがない。なお、前記紙部材に代えてプラスチックシート、例えば塩化ビニール樹脂シート、硬質のポリエチレン樹脂シートなどで構成してよいことは言うまでもない。
【００１３】  図１において、葉書５１に宛先、宛先氏名等を横書きする場合は、葉書５１の左辺を下側の規制板２０に沿わせて位置規制し、矢印Ｘ２方向に適宜スライドさせて記載位置を選び、必要事項を記載すればよい。
【００１４】  上記構成により本考案の手書き用葉書ガイドは、軽量で、構成がシンプルで使いやすく、コストを低く抑えられる。記載する文字列が斜めに傾く、または蛇行するのを防止できる。
【産業上の利用可能性】
【００１５】  本考案は官製葉書だけでなく、手製はがき、一筆書き用紙、無地の便箋等にも利用出来る。
【符号の説明】
【００１６】１０  主板
２０  規制板
３０  長尺状ガイド板
４０  空隙
５０、５１  葉書
１００  手書き用葉書ガイド
【図１】
0003229643.tif 000003
【図２】
0003229643.tif 000004
【図３】
0003229643.tif 000005
【図４】
0003229643.tif 000006
【図５】
0003229643.tif 000007
(57)【要約】      （修正有）【課題】密閉容器に入れたコーヒー豆を、密閉容器の蓋で一杯分のコーヒー豆を取り出せるようにするコーヒー豆の計量具付き蓋を提供する。【解決手段】コーヒー豆を入れた蓋付き容器３から、一杯分のコーヒー豆を取り出すために、蓋２に一杯分のコーヒー豆を計り入れる目盛り６付き空間４を設け、コーヒー豆を入れた容器から蓋に設けた一杯分のコーヒー豆を入れる目盛り付き空間にコーヒー豆をそそぎ入れることにより、一杯分のコーヒー豆を取り出せる。【選択図】図３
0003229642.tif 000002
【実用新案登録請求の範囲】
【請求項１】
コーヒー豆を入れた蓋付き容器から、一杯分のコーヒー豆を取り出すために、蓋に一杯分のコーヒー豆を計り入れる目盛り付き空間を設け、コーヒー豆を入れた容器から蓋に設けた一杯分のコーヒー豆を入れる目盛り付き空間にコーヒー豆をそそぎ入れることにより、一杯分のコーヒー豆を取り出せることを特長としたコーヒー豆の計量具付き蓋。
【考案の詳細な説明】
【技術分野】
【０００１】本考案は、コーヒー豆用の密閉容器に関するものである。
【背景技術】
【０００２】従来より、コーヒー豆を入れる密閉容器はガラス製、陶器製、ステンレス製のものが販売されており、密閉容器にコーヒー豆を計る計量スプーンを取り付た商品、蓋に計量スプーンを差し込み取り付ける商品が有り、また計量スプーンにおいても工夫を凝らした商品が種類多く販売されている。【０００３】また、顆粒コーヒーを入れる瓶の蓋に一杯分の顆粒コーヒーを入れるスペースを設け、一杯分の顆粒コーヒー入れるスペースに入れた一杯分の顆粒コーヒーを取り出すために取り出し口の蓋を設けた商品がある。【０００４】また、液体の洗濯洗剤において、液体の洗濯洗剤容器の蓋で液体の洗濯洗剤の量を計る計量具蓋付き洗剤容器が販売されている。
【発明が解決しようとする課題】
【０００５】コーヒー豆を入れた密閉容器から一杯分のコーヒー豆を取り出すとき計量スプーンを使って取り出すのが、計量スプーンを使わないで、密閉容器の蓋で一杯分のコーヒー豆を取り出せるようにする。
【課題を解決するための手段】
【０００６】本考案にかかるコーヒー豆の計量具付き蓋において、密閉容器の蓋に一杯分のコーヒー豆を計り入れる目盛り付き空間を設ける。なお、蓋と容器の素材は限定するものではなく、また蓋と容器との接合方法も限定するものではない。
【考案を実施するための形態】
【０００７】以下に、本考案にかかるコーヒー豆の計量具付き蓋を、その実施の形態を示した図面に基づいて詳細に説明する。
図１はコーヒー豆計量具付き蓋の平面図である。
図２コーヒー豆計量具付き蓋の正面図で、容器３にコーヒー豆の計量具付き蓋２を設置した図である。
図３はコーヒー豆の計量具付き蓋の、図１のＡ−Ａ’の断面図で蓋の部分の拡大図で示したもので、コーヒー豆の計量具付き蓋の内側に計量用目盛り６を施したもので、また容器から蓋に計り入れたコーヒー豆をコーヒーミール、またはフイルターに移し入れやすくするために容器との接合部分の細工加工を施さない実施の形状を示した図である。
【発明の効果】
【０００８】コーヒー豆を入れた密閉容器の蓋だけで一杯分のコーヒー豆を取り出すことができる。
【図面の簡単な説明】
【０００９】
【図１】図１は本考案にかかるコーヒー豆の計量具蓋付き密閉容器の実施例の一例の平面図である。
【図２】図２は本考案にかかるコーヒー豆の計量具蓋付き密閉容器の実施例の一例の正面図である。
【図３】図３は本考案にかかるコーヒー豆の計量具付き蓋の実施例の一例で蓋の拡大図で、図１のＡ−Ａ’の断面図である。
【符号の説明】１  コーヒー豆の計量具蓋付き密閉容器
２  コーヒー豆の計量具付き蓋
３  容器
４  コーヒー豆の計量空間
５  パッキング
６  計量用目盛り
【図１】
0003229642.tif 000003
【図２】
0003229642.tif 000004
【図３】
0003229642.tif 000005
(57)【要約】      （修正有）【課題】抜け落ちたつまみにくい毛髪や小さなゴミ等を付箋紙の粘着部分に接着させ収集する清掃機能を持たせた付箋紙を提供する。【解決手段】付箋紙１に切り込み２を２本平行に入れ輪を作りその部分に指を差し入れ、付箋紙の粘着部分３に毛髪やゴミをくっつけるように粘着部分の裏側から指の腹を押しつけてそれらを接着させることで掃除に役立たせる。【選択図】図１
0003229695.tif 000002
【実用新案登録請求の範囲】
【請求項１】
付箋紙に２つ平行に切れ目を入れ、そこに指を通すことで装着可能とし、指の腹の部分を付箋紙の粘着部分の裏側にあたる場所で固定する。
落ちた髪の毛やゴミを指の腹の部分にあたる付箋紙の粘着部分の裏側から押しつけることで容易にそれらを接着、集めることができ、
また、使用後はそのまま廃棄できるところを特徴とする清掃機能付き付箋紙。
【考案の詳細な説明】
【技術分野】
【０００１】  本考案は、本来メモ書きする部分に切れ目を入れ、指を通すことで装着可能とする付箋紙に関するものである。
【背景技術】
【０００２】  毛髪には、成長期・退行期・休止期の毛周期があり、
１日に平均１００本程度の髪の毛が抜けている。
生えている間は美しい毛髪は、抜けてしまえばとたんに不潔なものに変容し、特に女性の長い髪の毛は床に落ちているのを見るだけで気が滅入るものである。
【考案の概要】
【考案が解決しようとする課題】
【０００３】  落ちた髪の毛や小さなゴミを拾う場合、第一に指先でつまむことが考えられるが、昨今のネイルブームで爪を伸ばした女性が増え、拾い集めることが難しい。また、年を重ねるごとに指先の油分は減り、年配の人間が床に落ちた髪の毛１本をつまむことも、また困難である。
第二に掃除機を用いて吸い上げることも考えられるが、掃除機の吸い口に設置されているローラー部分に髪の毛が巻き付くことが多く、その除去は専用器具でローラーを取り外しハサミ等で切って外し、また吸引するという手間になる上、髪の毛１本、小さなゴミひとつのために掃除機を持ち出すことも億劫である。
従って、付箋紙のほど良く粘着し、接地面を傷つけない機能と気軽に消費できる安価さを利用することにより、前述の欠点を解決しようとするものである。
【課題を解決するための手段】
【０００４】  本考案は、付箋紙の本来メモ書きする部分に２つ平行に切れ目を入れ、それによってできた輪に指を通すことで装着可能とし、差し入れた指の腹の部分に付箋紙の粘着部分を固定するものである。
（粘着部分が指の腹と反対側になるように指を差し入れる）
落ちた髪の毛やゴミを指先に固定された付箋紙の粘着部分を押しつけることでそれらを容易に集めることができ、
また、使用後はそのまま気軽に廃棄できるところにより問題を解決している。
【考案の効果】
【０００５】  上述のように、本考案の床に落ちた毛髪やゴミを収集できる付箋紙は、本来の用途である文房具の付箋紙として利用できることはもちろん、落ちた毛髪やゴミに気付いた時にはそれらを収集できるフレキシブルな清掃用具としても使用可能である。
簡易な作りであるため、左右どちらの手で使うことがでる。
付箋紙の性質上、粘着させても床などの接地面を傷めることはなく、また廃棄の際に分別の必要もなく、使い捨てできる価格で購入でき扱いやすい。
【図面の簡単な説明】
【０００６】
【図１】指１本分に合わせた基本の付箋紙
【図２】指３本分に合わせ広範囲で収集可能な付箋紙
【符号の説明】
【０００７】    １  付箋紙
２  切り込み
３  粘着部分
【図１】
0003229695.tif 000003
【図２】
0003229695.tif 000004
(57)【要約】      （修正有）【課題】燃料タンクの後部に差し込むだけで重量を測定できる携帯燃料タンク用ロードセルユニットを提供する。【解決手段】小型のロードセル５に、ＳＩＭカードおよび通信モジュール、アンテナ１を内蔵し、測定データを指定サーバーに送信する機能を有する。【選択図】図１
0003229672.tif 000002
【実用新案登録請求の範囲】
【請求項１】
SIMカードおよび通信モジュール、アンテナを内蔵し、測定データを指定サーバーなどに送信する機能を持った携帯燃料タンク用ロードセルユニット。
【考案の詳細な説明】
【技術分野】
【０００１】
携帯通信、ロードセルなどの分野です。
【背景技術】
【０００２】
最近は災害などで携帯発電機が多く使われるようになっています。また、災害が長期化する傾向があり、長時間稼働型の発電機も増えています。おもに小型の発電機が多く、長時間使うために技術開発が進んでいます
【考案の概要】
【考案が解決しようとする課題】
【０００３】
可搬型発電機を長時間使うためには複数のタンクを設置する必要がありますが、消防法などによって、その容量は制限があります。通常は４０Lまでは届け出せずに使用が可能ですが、そうすると一般的なタンクでは２本程度で、燃料が切れる前に給油に行く必要があります。小型発電機の場合は負荷によっても燃料消費率がかわり、なかなか給油のタイミングが難しい傾向があります。
【課題を解決するための手段】
【０００４】
そこで燃料タンクの後部に差し込むだけで重量を測定できる、小型のロードセルに、通信モジュール、アンテナなどを内蔵した通信機能付きロードセルモジュールを考案しました。
【考案の効果】
【０００５】
一定時間ごとに測定データを送信するので、受信データを解析することで、単位時間当たりの燃料消費量などから給油タイミングが予想でき、また給油までの所要時間から燃料切れの警報なども出すことができるようになります。
【図面の簡単な説明】
【０００６】
図１は測定データをLTE回線を使って無線送信できる燃料タンク用ロードセルシステム構造図
【産業上の利用可能性】
【０００７】
すでに可搬型発電機は１００万台以上もが市場にでており、日本での年間販売台数もおおむね１０万台を超えるような製品です。それらの製品に本製品をとりつけるだけで燃料切れを回避でき、運転時間を効果的に延長できます。これは単に汎用可搬型発電機の性能を高めるだけではなく、燃料切れを起こさないことから従来では使えなかった用途にまで広げられる可能性があり、産業上の利用可能性は非常に大きいと言えます。
【符号の説明】
【０００８】
１  通信用アンテナ
２  リチウム電池
３  タンク受け金属板
４  ロードセル固定ケース
５  ロードセル
６  本体ケース
７  電源挿入口
８  制御用基板
【図１】
0003229672.tif 000003